(57)【要約】  通信システムにおいてチャネルの容量を増大させるための方法に従い、チャネルの特性が評価されることができる。チャネルは、複数のスロットを含むことが可能であり、スロットは、スロットフォーマットのセットのうちの１つのスロットフォーマットを有することが可能である。スロットフォーマットのセットのうちの１つのスロットフォーマットを選択することができる。その選択は、チャネルの評価された特性に基づくことが可能である。スロットフォーマットを選択することは、複数のスロットのそれぞれの中の信号の位置を選択することを含むことができる。信号の位置は、スロットフォーマットのそれぞれに対して異なり得る。信号は、チャネル上で複数のスロットのそれぞれの中で送信することができる。
2010502125.tif 000002
【特許請求の範囲】
【請求項１】
通信システムにおいてチャネルの容量を増大させるための方法であって、前記チャネルは複数のスロットを備えており、前記スロットはスロットフォーマットのセットのうちの１つのスロットフォーマットを有しており、
前記方法は、
前記チャネルの特性を評価することと；
前記スロットフォーマットのセットのうちの１つのスロットフォーマットを選択することと、なお、前記の選択は、前記チャネルの前記評価された特性に基づいており、前記スロットフォーマットを選択することは、前記複数のスロットのそれぞれの中で信号の位置を選択することを備えており、前記信号の前記位置は、前記スロットフォーマットのそれぞれに対して異なっている；
前記チャネル上で、前記複数のスロットのそれぞれの中における前記信号を送信することと；
を備えている、
方法。
【請求項２】
前記信号は、電力制御コマンド（ＴＰＣ）である、請求項１に記載の方法。
【請求項３】
前記チャネルは、フラクショナル専用物理チャネルである、請求項１に記載の方法。
【請求項４】
前記チャネルは、広帯域符号分割多元接続（Ｗ−ＣＤＭＡ）システムにおいて送信される、請求項１に記載の方法。
【請求項５】
前記チャネルは、ビットを送信するための１０個のストリームを備える、請求項１に記載の方法。
【請求項６】
前記チャネルは、基地局からモバイルに送信される、請求項１に記載の方法。
【請求項７】
前記モバイルは、アクティブなリストを備え、前記アクティブなリストは、１つまたは複数の基地局の識別を備える、請求項６に記載の方法。
【請求項８】
前記スロットフォーマットは、前記基地局に特有である、請求項６に記載の方法。
【請求項９】
スロットフォーマットは、異なるタイミングオフセットにより別のスロットフォーマットとは異なる、請求項１に記載の方法。
【請求項１０】
前記チャネルは、非同期ネットワークにおいて送信される、請求項１に記載の方法。
【請求項１１】
前記チャネル上で１０個の送信電力制御（ＴＰＣ）ビットを送信すること、をさらに備える請求項１に記載の方法。
【請求項１２】
前記信号は送信電力制御（ＴＰＣ）ビットを備え、前記ＴＰＣビットは基地局に固有のオフセットを備える、請求項１１に記載の方法。
【請求項１３】
モバイルにおいて異なるタイミングオフセットを有するＴＰＣビットを組み合わせること、をさらに備える請求項１１に記載の方法。
【請求項１４】
通信システムにおいてチャネルの容量を増大させるように構成された基地局であって、前記チャネルは、複数のスロットを備えており、前記スロッは、スロットフォーマットのセットのうちの１つのスロットフォーマットを有しており、
前記基地局は、
プロセッサと、
前記プロセッサと電子的に通信状態にあるメモリと、
前記メモリ内に記憶された命令と、
を備えており、
前記命令は、
前記チャネルの特性を評価し；
前記スロットフォーマットのセットのうちの１つのスロットフォーマットを選択し、なお、前記の選択は前記チャネルの前記評価された特性に基づいている、また、前記スロットフォーマットを選択することは、前記複数のスロットのそれぞれの中で信号の位置を選択することを備えている、また前記信号の前記位置は、前記スロットフォーマットのそれぞれに対して異なっている；
前記チャネル上で前記複数のスロットのそれぞれにおいて前記信号を送信する；
ために実行可能である、
基地局。
【請求項１５】
前記チャネルは、フラクショナル専用物理チャネルである、請求項１４に記載の基地局。
【請求項１６】
前記チャネルは、広帯域符号分割多元接続（Ｗ−ＣＤＭＡ）システムにおいて送信される、請求項１４に記載の基地局。
【請求項１７】
前記チャネルは、ビットを送信するための１０個のストリームを備える、請求項１４に記載の基地局。
【請求項１８】
前記チャネルは、基地局からモバイルに送信される、請求項１４に記載の基地局。
【請求項１９】
前記モバイルは、アクティブなリストを備え、前記アクティブなリストは、１つまたは複数の基地局の識別を備える、請求項１８に記載の基地局。
【請求項２０】
前記スロットフォーマットは、前記基地局に特有である、請求項１８に記載の基地局。
【請求項２１】
通信システムにおいてチャネルの特性を評価するためのコードと、なお、前記チャネルは複数のスロットを備え、前記スロットはスロットフォーマットのセットのうちの１つのスロットフォーマットを有する；
前記スロットフォーマットのセットのうちの前記スロットフォーマットを選択するためのコードと、なお、前記の選択は、前記チャネルの前記評価された特性に基づいており、前記スロットフォーマットを選択することは、前記複数のスロットのそれぞれの中で信号の位置を選択することを備えており、前記信号の前記位置は、前記スロットフォーマットのそれぞれに対して異なっている；
前記チャネル上で前記複数のスロットのそれぞれにおいて前記信号を送信するためのコードと；
を備えるコンピュータ可読媒体、
を備えるコンピュータプログラム製品。
【請求項２２】
通信システムにおいてチャネルの容量を増大させるように構成されたモバイルであって、前記チャネルは、複数のスロットを備えており、前記スロットは、スロットフォーマットのセットのうちの１つのスロットフォーマットを有し、
前記モバイルは、
プロセッサと、
前記プロセッサと電子的に通信状態にあるメモリと、
前記メモリ内に記憶された命令と、
を備え、
前記命令は、
１つまたは複数のスロットのタイミングを基地局に提供し；
前記基地局に提供された前記１つまたは複数のスロットの前記タイミングに基づくタイミングオフセットを受信し、なお、前記タイミングオフセットは前記１つまたは複数のスロット内で信号の位置を表示する；
フラクショナル専用物理チャネル（Ｆ−ＤＰＣＨ）上で１つまたは複数のスロットを受信する、なお、前記１つまたは複数のスロットは、異なるモバイルに送信された前記信号の前記タイミングオフセットとは異なるタイミングオフセットを有する前記信号を備える；
ために実行可能である、
モバイル。
【請求項２３】
通信システムの容量を増大させるための方法であって、
第１の基地局から第１のチャネルの第１のスロットを受信することと、なお、前記スロットは、第１のスロットフォーマットを使用する；
第２の基地局から第２のチャネルの第２のスロットを受信することと、なお、前記第２のスロットは、前記第１のスロットフォーマットとは異なる第２のスロットフォーマットを使用し、前記第１および第２のスロットは、第１および第２の電力制御コマンドを運ぶ；
前記第１および第２の電力制御コマンドに応じて、前記装置の前記送信電力を調整することと；
を備える方法。
【発明の詳細な説明】
【関連出願】
【０００１】
本願は、参照によりここに組み込まれている、発明者Ｓｔｅｉｎ  Ａ、Ｌｕｎｄｂｙおよび、Ｓｅｒｇｅ  Ｗｉｌｌｅｎｅｇｇｅｒによる、フラクショナルＤＰＣＨ容量を増大させるためのオフセット(OFFSETS TO MAXIMIZE FRACTIONAL DPCH CAPACITY)についての、２００６年８月２２日に出願された米国特許出願第６０／８３９，４７９号に関し、当該出願の優先権を主張する。
【技術分野】
【０００２】
本発明は、一般には無線通信および無線通信関連技術に関する。より詳細には、本発明は、通信システムの容量を増大させるためのシステムおよび方法に関する。
【背景】
【０００３】
無線通信ネットワークは、音声、パケットデータ、ブロードキャストなど、様々なタイプのサービスを提供するために広く配備されている。例えば、これらの無線ネットワークは、符号分割多元接続２０００（ＣＤＭＡ２０００）ネットワーク、汎欧州デジタル移動電話方式（ＧＳＭ）ネットワーク、広帯域符号分割多元接続（Ｗ−ＣＤＭＡ）ネットワークおよびワールドワイドインターオペラビリティフォーマイクロウェーブアクセス(Worldwide Interoperability for Microwave Access)（ＷｉＭＡＸ）ネットワークを含む。
【０００４】
それぞれの無線ネットワークは、無線通信をサポートするために特定のエアインターフェース(particular air interface)を利用し、通常、ローミングサービスおよび最新サービスをサポートする特定のモバイルネットワーキングプロトコル(particular mobile networking protocol)をさらにインプリメントする(implements)。例えば、Ｗ−ＣＤＭＡネットワークは、符号分割多元接続（ＣＤＭＡ）エアインターフェースおよびＧＳＭ  ＥＤＧＥ無線アクセスネットワーク(GSM EDGE Radio Access Network)（ＧＥＲＡＮ）ネットワーキングプロトコルを利用する。
【０００５】
上記で引用された電気通信標準は、音声および／またはデータを送信するために実施され得る様々な通信システムのうちのいくつかの例である。これらのシステムにおいて、複数のユーザは制限されたシステムリソースを共有する。１つのそのような制限は、複数のユーザをサポートするためのチャネルの利用可能性である。これらのネットワークでは、基地局の範囲内のそれぞれのユーザには、通常、基地局との通信を実施するために１つまたは複数のチャネルが割り当てられる。十分なチャネルが存在しなかった場合、基地局の範囲に入ってくる新しいユーザは、その基地局のサービスにアクセスすることを妨害される場合がある。
【０００６】
ある状況では、同じデータを複数のユーザに送信することが望まれる。しかし、移動通信基地局は、現在、同じタイミングオフセット(timing offset)を用いてデータを送信するように構成される。すなわち、データを送信するためにすべての利用可能なオフセットが基地局によって使用されるとは限らず、チャネルはチャネルがデータを送信することが可能な移動局の数に関して制限されるため、チャネルの容量は制限される。したがって、通信システムにおいてチャネルの容量を増大させるためのシステムおよび方法を提供することによって利益が実現される。
【発明の概要】
【０００７】
本発明の例示的な実施形態は、添付の図面と共に、以下の説明および添付の特許請求の範囲からより十分に明らかになるであろう。これらの図面は例示的な実施形態のみを示しており、したがって、本発明の範囲の限定と見なされるべきでない、ということを理解し、本発明の例示的な実施形態が、添付の図面の使用をとおし、さらなる特異性および詳細を用いて説明される。
【図面の簡単な説明】
【０００８】
【図１】無線通信システムの一構成を示す図。
【図２】基地局コントローラの一実施形態を例示するブロック図。
【図３】通信システムにおいてチャネルの容量を増大させるための方法を例示する流れ図。
【図３Ａ】図３において示される方法に対応する手段および機能ブロックを例示する図。
【図４】フラクショナル専用物理チャネル(fractional dedicated physical channel)のフレーム構造の一実施形態を示す図。
【図５】ある期間にわたり送信されるビットの数を例示するスロットフォーマット表(slot format chart)。
【図６】基地局内で利用され得る様々なコンポーネントを例示する図。
【図７】通信装置内で利用され得る様々なコンポーネントを例示する図。
【詳細な説明】
【０００９】
通信システムにおいてチャネルの容量を増大させるための方法が、説明される。チャネルは、複数のスロットを含むことが可能であり、スロットは、スロットフォーマットのセットのうちの１つのスロットフォーマットを有することが可能である。この方法によれば、チャネルの特性を評価することができる。スロットフォーマットのセットのうちの１つのスロットフォーマットを選択することができる。その選択は、チャネルの評価された特性に基づくことが可能である。スロットフォーマットを選択することは、複数のスロットのそれぞれの中の信号の位置を選択することを含むことができる。信号の位置は、スロットフォーマットのそれぞれに対して異なり得る。信号は、チャネル上で複数のスロットのそれぞれの中で送信することができる。
【００１０】
信号は電力制御コマンド（ＴＰＣ）であり得る。一実施形態では、チャネルはフラクショナル専用物理チャネル(fractional dedicated physical channel)である。チャネルは広帯域符号分割多元接続（Ｗ−ＣＤＭＡ）システムにおいて送信され得る。チャネルはビットを送信するための１０個のストリーム(streams)を備える。チャネルは基地局からモバイルに送信され得る。モバイルはアクティブなリスト(active list)を備える。アクティブなリストは、１つまたは複数の基地局の識別(identification)を備える。スロットフォーマットはセルに特有(specific to the cell)であることができる。スロットフォーマットは、異なるタイミングオフセットにより(through)別のスロットフォーマットとは異なり得る。
【００１１】
チャネルは非同期ネットワーク内で送信されることができる。１０個の送信電力制御（ＴＰＣ）ビットがチャネル上で送信され得る。ＴＰＣビットは、セルに固有のオフセット(cell-specific offset)を備える。異なるタイミングオフセットを有するＴＰＣビット(TPC bits with different timing offsets)が、モバイルで組み合わされる(combined)ことができる。
【００１２】
通信システムにおいてチャネルの容量を増大させるように構成された基地局もまた、説明される。チャネルは、複数のスロットを含むことができ、スロットは、スロットフォーマットのセットのうちの１つのスロットフォーマット有することができる。基地局は、プロセッサと、そのプロセッサと電子的に通信状態にあるメモリとを含むことができる。そのメモリ内に命令を記憶することができる。命令は、チャネルの特性を評価するために実行可能とすることができる。命令はまた、スロットフォーマットのセットのうちの１つのスロットフォーマットを選択するために実行可能とすることもできる。その選択は、チャネルの評価された特性に基づくことが可能である。スロットフォーマットを選択することは、複数のスロットのそれぞれの中の信号の位置を選択すること、を含むことができる。信号の位置は、スロットフォーマットのそれぞれに対して異なり得る。命令はまた、チャネル上で複数のスロットのそれぞれの中で信号を送信するために実行可能とすることもできる。
【００１３】
コンピュータプログラム製品もまた説明される。このコンピュータプログラム製品は、コンピュータ可読媒体を含むことができる。このコンピュータ可読媒体は、通信システムにおいてチャネルの特性を評価するためのコードを含むことができる。チャネルは、複数のスロットを含むことができる。スロットは、スロットフォーマットのセットのうちの１つのスロットフォーマットを有することが可能である。このコンピュータ可読媒体は、スロットフォーマットのセットのうちのそのスロットフォーマットを選択するためのコードを含むこともできる。その選択は、チャネルの評価された特性に基づくことが可能である。スロットフォーマットを選択することは、複数のスロットのそれぞれの中の信号の位置を選択すること、を含むことができる。信号の位置は、スロットフォーマットのそれぞれに対して異なり得る。このコンピュータ可読媒体は、チャネル上で複数のスロットのそれぞれの中で信号を送信するためのコードを含むこともできる。
【００１４】
通信システムにおいてチャネルの容量を増大させるように構成されたモバイルもまた、説明される。チャネルは、複数のスロットを含むことができ、スロットは、スロットフォーマットのセットのうちの１つのスロットフォーマットを有することができる。このモバイルは、プロセッサと、そのプロセッサと電子的に通信状態にある(in electronic communication)メモリと、を含むことができる。そのメモリ内に命令を記憶することができる。命令は、１つまたは複数のスロットのタイミングを基地局に提供するために実行可能とすることができる。命令はまた、基地局に提供された１つまたは複数のスロットのタイミングに基づくタイミングオフセットを受信するために実行可能とすることもできる。タイミングオフセットは、１つまたは複数のスロット内の信号の位置を表示することが可能である。命令はまた、フラクショナル専用物理チャネル（Ｆ−ＤＰＣＨ）上で１つまたは複数のスロットを受信するために実行可能とすることもできる。１つまたは複数のスロットは、異なるモバイルに送信された信号のタイミングオフセットとは異なるタイミングオフセットを有する信号を含むことができる。
【００１５】
通信システムの容量を増大させるための方法もまた、説明される。この方法にしたがえば、第１の基地局からの第１のチャネルの第１のスロットが、受信されることができる。第１のスロットは、第１のスロットフォーマットを使用することが可能である。第２の基地局からの第２のチャネルの第２のスロットが、受信されることができる。第２のスロットは、第１のスロットフォーマットとは異なる第２のスロットフォーマットを、使用することが可能である。第１および第２のスロットは、第１および第２の電力制御コマンドを運ぶ(carry)ことが可能である。装置の送信電力は、第１および第２の電力制御コマンドに応じて調整されることができる。
【００１６】
次に、同じ参照符号が同一のエレメントまたは機能的に類似したエレメントを表示する図面を参照して、本発明の様々な実施形態が説明される。ここで全体として説明され、図において示されるような、本発明の実施形態は、多種多様な異なる構成で、配置され、設計されることが可能であろう。したがって、図で表されるような、本発明のいくつかの例示的な実施形態の以下のより詳細な説明は、特許請求されるような本発明の範囲を限定するようには意図されておらず、本発明の実施形態を単に表すに過ぎない。
【００１７】
用語「例示的(exemplary)」は、ここにおいてはもっぱら、「例(example)、事例(instance)、または例示(illustration)として機能している」を意味するように使用される。ここにおいて「例示的」として説明されるいずれの実施形態も、その他の実施形態よりも好ましいまたは有利であると必ずしも解釈されるべきであるとは限らない。
【００１８】
ここに開示される実施形態の多くの特徴は、コンピュータソフトウェア、電子ハードウェア、またはそれらの両方の組合せとしてインプリメントされることができる。ハードウェアおよびソフトウェアのこの互換性を明瞭に例示するために、様々なコンポーネントが、一般に、それらの機能性の点から説明される。そのような機能がハードウェアとしてインプリメントされるのかソフトウェアとしてインプリメントされるのかは、特定のアプリケーション、およびシステム全体に課せられた設計制約、に依存する。熟練者は、説明された機能を、それぞれの特定のアプリケーションに対して様々な方法で実施することが可能であるが、そのようなインプリメンテーション決定(implementation decisions)は、本発明の範囲からの逸脱を生じさせるものとして解釈されるべきではない。
【００１９】
説明された機能が、コンピュータソフトウェアとしてインプリメントされる場合、そのようなソフトウェアは、メモリ装置内に位置する、かつ／または、システムバス上またはネットワーク上で電子信号として送信される、任意のタイプのコンピュータ命令またはコンピュータ実行可能コードを含むことができる。ここに説明されるコンポーネントに関連する機能をインプリメントするソフトウェアは、単一の命令、または複数の命令を備えることが可能であり、また、いくつかの異なるコード区分(code segments)上で、異なるプログラムの間で、そして、いくつかのメモリ装置の全体にわたって、分散されつことができる。
【００２０】
ここにおいて使用されるように、用語「一実施形態(an embodiment)」、「実施形態(embodiment)」、「複数の実施形態(embodiments)」、「その実施形態（the embodiment）」、「それらの複数の実施形態（the embodiments)」、「１つまたは複数の実施形態(one or more embodiments)」、「いくつかの実施形態(some embodiments)」、「ある実施形態(certain embodiments)」、「1つの実施形態(one embodiment)」、「別の実施形態(another embodiment)」および同様なものは、明示的にそうでない場合が特定されない限り、「開示された（１つまたは複数の）発明の１つまたは複数の（しかし、必ずしもすべてとは限らない）実施形態」を意味する。
【００２１】
用語「決定すること(determining)」（および、その文法的な変形）は極めて広い意味で使用される。用語「決定すること」は、幅広い様々な動作を包括しており、したがって、「決定すること」は、計算すること(calculating)、コンピューティングすること(computing)、処理すること(processing)、引き出すこと(deriving)、調査すること(investigating)、調べること(looking up)(例えば、表、データベースまたは別のデータ構造の中で調べること）、確認すること(ascertaining)、および同様なもの、を含み得る。また、「決定すること」は、受信すること（例えば、情報を受信すること）、アクセスすること（例えば、メモリ中のデータにアクセスすること）、および同様なもの、を含み得る。また、「決定すること」は、解決すること(resolving)、選択すること(selecting)、選ぶこと(choosing)、確立すること(establishing)、および同様なもの、を含み得る。
【００２２】
句「基づいて(based on)」は、明示的にそうでない場合が特定されない限り、「のみに基づいて(based only on)」を意味しない。すなわち、句「基づいて」は、「のみに基づいて」および「に少なくとも基づいて(based at least on)」の両方を表す。
【００２３】
無線システムにおいて、ダウンリンクは、基地局からモバイルへの通信を示す。アップリンクは、モバイルから基地局への通信を示す。
【００２４】
移動通信ネットワークは、モバイル（移動局、ユーザ装置（ＵＥ）、ユーザ）、基地局（ＢＳ、セル、ノードＢ、基地局トランシーバサブシステム（ＢＴＳ））および基地局コントローラ（ＢＳＣ、無線ネットワークコントローラなど）から構成され得る。ある実施形態では、基地局コントローラは基地局と一体化され得る。
【００２５】
符号分割多元接続（ＣＤＭＡ）などのシステムにおけるモバイルは、いくつかの基地局と同時に通信中であり得る。これは、ソフトハンドオフまたはソフトハンドオーバと呼ばれることがある。モバイルとアクティブに通信中である(in active communication)基地局のセットは、モバイルのアクティブセット(mobile's active-set)と呼ばれる場合がある。
【００２６】
無線リンク(radio link)は、ネットワークとモバイルの間の通信リンク全体(overall communication link)を指す場合がある。基地局とモバイルの間の伝送は、物理チャネル(physical channels)上で発生し得る。ダウンリンク上の無線リンクは、したがって、いくつかの物理チャネルから構成され得る。すなわち、モバイルのアクティブセット内のそれぞれの基地局に対する１つまたは複数の物理チャネルである。Ｗ−ＣＤＭＡでは、物理チャネルは専用物理チャネル(Dedicated Physical Channel)（ＤＰＣＨ）と呼ばれる場合がある。
【００２７】
データは、フレーム(frames)と呼ばれるブロック内で符号化および送信されることが可能である。フレームはさらにスロットに再分割され得る。例えば、Ｗ−ＣＤＭＡスロットは０．６７ミリ秒（ｍｓ）の間存続する(last)ことが可能であり、フレームは１０ｍｓ（すなわち、１５スロット）存続し得る。
【００２８】
Ｗ−ＣＤＭＡは、時間同期の外部ソースを有さない基地局との動作を可能にする移動通信モバイルシステムである。基地局コントローラと様々な基地局の間の有線ネットワーク上の通信は、すべての基地局におけるタイミングが数ミリ秒の範囲内で同期されるように調整されることを可能にする。このクロックは、次いで、基地局とモバイルの間の通信を整調するために使用され得る。
【００２９】
対照的に、ＣＤＭＡ２０００モバイルシステムは、基地局が数マイクロ秒の範囲内で同期されることを要求する場合がある。この種の密な同期は、通常、全地球測位システム(Global Positioning System)（ＧＰＳ）からクロックソースを指定することによって達成される。
【００３０】
Ｗ−ＣＤＭＡにおけるタイミングは基地局ごとに異なるため、モバイルのタイミングはどんな特定のクロックにも、密に(tightly)結び付けられ(tied)なくてもよい。Ｗ−ＣＤＭＡシステムにおいてモバイルは、ネットワークから信号を受信することによって自らのクロックを同期することができる。無線リンクが初めてセットアップされる場合、この無線リンクのタイミングはモバイルに通信され得る。モバイルは、次いで、無線媒体上の信号の伝搬時間における偏差により発生し得る変動に従うためにそのタイミングを漸次適合させることが可能である。
【００３１】
モバイルが新しい基地局の受信可能範囲に入る場合、新しい基地局はモバイルのアクティブセットに加えられることが可能であり、ネットワークは、モバイルの伝送タイミングに従うように、新しい基地局からのダウンリンク上の物理チャネルの伝送タイミングを設定することができる。モバイルは、アクティブセット内のすべての基地局から受信されたフレームが受信されると、最低限のバッファリングを用いて、それらのフレームを組み合わせることが可能である。
【００３２】
Ｗ−ＣＤＭＡのリリース５は、共有データチャネルを使用してダウンリンク上でデータを送信する方法を定義する。この新しい伝送方法は、高速ダウンリンクパケットアクセス（ＨＳＤＰＡ）と呼ばれる。データが送られるチャネルは、高速専用共有チャネル（ＨＳ−ＤＳＣＨ）と呼ばれ、すべてのモバイルの間で時間において共有される。ＨＳＤＰＡを使用するモバイルは、ＨＳ−ＤＳＣＨを介して１つずつそのデータを受信する。すべてのデータはＨＳ−ＤＳＣＨ上で送られるが、それにもかかわらず、ＤＰＣＨは電力制御（ＰＣ）コマンドおよび潜在的にいくつかのシグナリングを運ぶためにそれぞれのモバイルに対して維持される。
【００３３】
Ｗ−ＣＤＭＡのリリース６はフラクショナルＤＰＣＨ（Ｆ−ＤＰＣＨ）を導入した。Ｆ−ＤＰＣＨは、基地局から１つまたは複数のモバイルに電力制御コマンドを運ぶためにだけ使用される、ダウンリンク上のチャネルである。Ｆ−ＤＰＣＨのそれぞれのスロットのフォーマットは、データがスロットの第１の部分と最後の部分の間で送信されていないこと、およびスロットの中央において固定位置で開始する電力制御コマンド（ＴＰＣ）を含む。ＴＰＣコマンドは、モバイルの送信電力を増大または減少させるようにモバイルに指令する命令である。
【００３４】
Ｆ−ＤＰＣＨは、そのＴＰＣコマンドが重ならない限り、同じチャネル物理チャネルを共有することが可能である。これは、Ｆ−ＤＰＣＨはＴＰＣコマンドだけを送信し、スロットの残りの部分は空であるという事実による。そのＴＰＣが重ならないように互いに十分異なるタイミングを有するモバイルに対するＦ−ＤＰＣＨは、したがって、同じ物理チャネルを使用する。これは基地局がより少ない物理チャネルを要求することを可能にする。
【００３５】
Ｗ−ＣＤＭＡでは、最高で１０個までのＦ−ＰＤＣＨが同じ物理チャネルを共有することができる。その場合、次々にコマンドを送信することによって、最高で１０個までのモバイル向けのＴＰＣコマンドが同じ物理チャネル上で送られることが可能である。１０個のモバイルに対する１０個のコマンドがすべて送信された場合、伝送プロセスは同じ１０個のモバイル向けの次の１０個のＰＣコマンドを用いて再開する。１０個のＴＰＣコマンドすべては、存続期間において０．６６７ミリ秒（ｍｓ）の１つのスロットの存続期間内で送られる。新しいＴＰＣコマンドは、すべてのスロットにおいて生成および送信されることが可能である。したがって、Ｆ−ＤＰＣＨは１０個のモバイルの間で時間において共有される。
【００３６】
現在のＷ−ＣＤＭＡ標準は、モバイルのアクティブセット内のすべての基地局が同じタイミングオフセットを用いてモバイルに対するＴＰＣビットの伝送を容易にすることを要求する。しかし、ソフトハンドオフに関与するモバイルは互いに効果的に妨害するという理由ですべてのタイミングオフセットが使用され得るとは限らないため、この要件は因果関係を含む。
【００３７】
Ｆ−ＤＰＣＨは、多くのモバイルをサポートするのに論理的に有効である。しかし、実際には、サポートされ得るモバイルの数を厳しく制限する既存の規制が基地局に置かれる。規制は、所与のモバイルに関して、すべてのＦ−ＤＰＣＨからのＴＰＣは同じオフセットタイミングを有さなければならないことを含む。本発明のシステムおよび方法は、所与のモバイルに関して、すべてのＦ−ＤＰＣＨからのＴＰＣは同じオフセットタイミングを有さなければならないという規制を取り除くことに関する。本発明のシステムおよび方法はＰＣコマンドを運んでいるＦ−ＤＰＣＨについて議論するものの、Ｆ−ＤＰＣＨはその他の情報をモバイルに運ぶ場合がある。Ｆ−ＤＰＣＨ設計を用いて、いくつかのモバイルに対するＦ−ＤＰＣＨは、モバイルのタイミングがそれぞれのＴＰＣが重ならないように十分異なる限り、同じコードチャネル（例えば、Ｗ−ＣＤＭＡにおけるＯＶＳＦコード）を共有することが可能である。加えて、Ｗ−ＤＣＭＡはモバイルのアクティブセット内のすべての基地局が位置合わせされたスロットを用いてＦ−ＤＰＣＨを送信することを要求する場合がある。これはモバイルが同じコードチャネル上で一緒に多重化され得る可能性をなおさら低くする場合がある。
【００３８】
本発明のシステムおよび方法は、基地局に固有のＦ−ＤＰＣＨスロットフォーマット(base station specific F-DPCH slot formats)を定義すること(defining)によってこの解決策を提供する。スロットフォーマットのそれぞれは、スロット内の異なる位置にＴＰＣ区分を有する。スロットフォーマットを変えることによって、ネットワークはそれにより、同じコードチャネル上で可能な限り多くのＦ−ＤＰＣＨをパックするためになど、それぞれのモバイル向けのそれぞれの基地局に対するＴＰＣの位置を調整することが可能である。
【００３９】
本発明のシステムおよび方法の実施形態は、それぞれの基地局に特有であるＦ−ＤＰＣＨについてのスロットフォーマットを導入する。それぞれのスロットフォーマットは異なるタイミングオフセットによりその他のスロットフォーマットとは異なる。無線通信システムなどのシステムは、それにより、それぞれのＦ−ＤＰＣＨをその極限まで利用するためになど、非同期ネットワーク内でＰＣビットのタイミングを調整することが可能である。
【００４０】
既に説明されたように、本発明のシステムおよび方法の実施形態は、それぞれの基地局に特有であるＴＰＣオフセットを導入する。これはＴＰＣビットに対するタイミング規制を取り除き、それぞれの基地局が利用可能な最善のＴＰＣオフセットを使用することを可能にする。モバイルは、同じフレームオフセットで到着しないＴＰＣコマンドを組み合わせることが可能である。一実施形態では、モバイル処理時間は変わらない。
【００４１】
実際には、Ｆ−ＤＰＣＨ信号を運んでいる物理チャネルの容量は３人から４人のユーザだけであり得る。この低容量は、１５００Ｈｚの高い電力制御レート、アクティブセット内のすべての基地局からＴＰＣコマンドを送る必要性、および既に説明されたようなＴＰＣビットのタイミング規制に起因し得る。一実施形態では、Ｆ−ＤＰＣＨはレイヤ１で生成されたＴＰＣコマンドを運ぶ。モバイルの観点から、これはそれぞれのスロット内でＴＰＣコマンドを運ぶダウンリンク専用物理チャネル（ＤＰＣＨ）の特別なケースである。基地局の観点から、Ｆ−ＤＰＣＨは２５６の拡散係数（ＳＦ）を含み、Ｆ−ＤＰＣＨは１０個の異なるモバイルに対して最高で１０個のＴＰＣストリームを運ぶチャネルである。
【００４２】
ソフトハンドオフ領域において、モバイルはそのアクティブセット内のすべての基地局からＴＰＣコマンドを受信することが可能である。それぞれのモバイルがそのアクティブセット内に平均で１．５個の基地局を有する場合、Ｆ−ＤＰＣＨの正味容量は１０／１．５＝６．７人のユーザであり得る。しかし、Ｆ−ＤＰＣＨの容量は、上記のＴＰＣビットに関するタイミング規制によりさらに削減される可能性がある。例えば、第１の基地局および第２の基地局からのＴＰＣコマンドは、狭い時間窓(time window)内で第１のモバイルに到着する可能性がある。第２のモバイルは、第２の基地局の領域に入ることを試みることが可能である。すなわち、第２のモバイルはそのアクティブセット内に第２の基地局を加えることになり、第２の基地局からＴＰＣコマンドストリームを受信することになる。この例では、第１のモバイルおよび第２のモバイルは両方とも、自らのＴＰＣビットのために同じタイミングオフセットを偶然使用する。第２の基地局はＦ−ＤＰＣＨ上で第２のモバイルをサポートしない可能性がある。第２の基地局は、新しいＦ−ＤＰＣＨを割り当てることが可能であり、またはＴＰＣビットに対する異なるタイムオフセットに交換するための再構成メッセージを第２のモバイルに送ることが可能である。実際には、オフセットのこの問題は、モバイルおよび基地局の数が増えるにつれて増大する。最終的に、それぞれのＦ−ＤＰＣＨの容量は劇的に削減され、Ｆ−ＤＰＣＨの容量は、チャネル当たり６．７人のユーザからほんの３人または４人のユーザに低下する。
【００４３】
図１は、複数のモバイル１０８と、複数の基地局１１０と、基地局コントローラ（ＢＳＣ）１０６と、モバイルスイッチングセンター(mobile switching center)（ＭＳＣ）１０２とを含み得る、広帯域符号分割多元接続（Ｗ−ＣＤＭＡ）無線電話システム１００を例示する。ＭＳＣ１０２は、公衆電話網（ＰＳＴＮ）１０４とインターフェースをとるように構成され得る。ＭＳＣ１０２は、ＢＳＣ１０６とインターフェースをとるように構成されることも可能である。システム１００内には２個以上のＢＳＣ１０６が存在し得る。それぞれの基地局１１０は、少なくとも１つのセクタ（図示せず）を含むことが可能であり、それぞれのセクタは基地局１１０から放射状に離れた、特定の方向に向けられた全方向性アンテナまたはアンテナを有し得る。あるいは、それぞれのセクタはダイバーシティ受信のための２個のアンテナを含み得る。それぞれの基地局１１０は、複数の周波数割当てをサポートするように設計され得る。セクタおよび周波数割当ての交差は、Ｗ−ＣＤＭＡチャネルと呼ばれる場合がある。モバイル１０８は、移動通信電話または携帯通信システム（ＰＣＳ）電話を含み得る。
【００４４】
移動体電話システム１００の動作の間、基地局１１０はモバイル１０８のセットから逆方向リンク信号のセットを受信することが可能である。モバイル１０８は、電話呼出またはその他の通信を実施している可能性がある。所与の基地局１１０によって受信されたそれぞれの逆方向リンク信号は、その基地局１１０内で処理されることが可能である。結果として生じるデータは、ＢＳＣ１０６に転送され得る。ＢＳＣ１０６は呼リソース割当てと、基地局１１０間のソフトハンドオフの編成を含む移動度管理機能性とを提供することが可能である。ＢＳＣ１０６はまた、受信されたデータをＰＳＴＮ１０４とのインターフェースのために追加の経路指定サービスを提供するＭＳＣ１０２に経路指定することも可能である。同様に、ＰＳＴＮ１０４はＭＳＣ１０２とインターフェースをとることが可能であり、ＭＳＣ１０２は、順方向リンク信号のセットをモバイルのセット１０８に送信するように基地局１１０を制御し得るＢＳＣ１０６とインターフェースをとることが可能である。
【００４５】
図２は、基地局コントローラ（ＢＳＣ）２０６の一実施形態を例示するブロック図である。ＢＳＣ２０６は、Ｆ−ＤＰＣＨに対する異なるスロットフォーマットを選ぶことによって既に述べられたタイミング規制を取り除くことが可能である。Ｆ−ＤＰＣＨは、１０ミリ秒（ｍｓ）の存続期間を有する１つの無線フレームを含み得る。Ｆ−ＤＰＣＨは１５個のスロットを含み得る。ＢＳＣ２０６は１５個のスロットのそれぞれに対する異なるスロットフォーマットを選ぶことが可能である。チャネルエバリュエータモジュール(channel evaluator module)２０２は、ＢＳＣ２０６からモバイルに送信されているＦ−ＤＰＣＨを評価することが可能である。チャネルエバリュエータモジュール２０２は、Ｆ−ＤＰＣＨ内に含まれた様々なスロットを評価することが可能である。ＢＳＣ２０６は、Ｆ−ＤＰＣＨのスロットのそれぞれのために使用され得る複数のスロットフォーマット(slot formats)２１２も含み得る。複数のスロットフォーマット２１２のそれぞれは互いに異なり得る。スロットフォーマット選択装置(slot format selector)２０４は、複数２１２からのスロットのうちの１つを選択することが可能であり、この選択されたフォーマットはＦ−ＤＰＣＨにおけるスロットに対するフォーマットとして使用され得る。異なるスロットフォーマットを選択することは、第１の基地局のＦ−ＤＰＣＨ上で送信されたＴＰＣビットが、別の基地局のＦ−ＤＰＣＨ上で送信されたＴＰＣビットのタイミングオフセットとは異なるタイミングオフセットを有することを可能にする。加えて、ＢＳＣ２０６は、無線ネットワークコントローラ（ＲＮＣ）によって行われたシグナリングから切り離してこのタイミングオフセットを基地局のそれぞれに信号で知らせることが可能である。その他の実施形態では、上記に説明されたＢＳＣ２０６の機能は１つまたは複数の基地局と一体化され得る。
【００４６】
図３は、通信システムにおいてチャネルの容量を増大させるための方法３００を例示する流れ図である。一実施形態では、チャネルの特性が評価され得る３０２。チャネル内の様々なスロットのそれぞれに対するスロットフォーマットが決定される３０４。一実施形態では、スロットフォーマットの決定はチャネルの評価された特性に基づく。様々なスロットのそれぞれに対するスロットフォーマットが、その決定に基づいてそのチャネルのために選択される３０６。チャネルは、そのチャネルに適用される選択されたスロットフォーマットに起因するタイミングオフセットを用いて送信される３０８。
【００４７】
上記で説明された図３の方法３００は、図３Ａに例示される対応する手段および機能ブロック３００Ａによって実行されることが可能である。すなわち、図３に例示されたブロック３０２から３０８は、図３Ａに例示される手段および機能ブロック３０２Ａから３０８Ａに対応する。
【００４８】
図４は、Ｆ−ＤＰＣＨのフレーム構造４００の一実施形態を例示する。フレームは１０ｍｓの長さを有し、１５個のスロット４０８、４１０、４１２、４１４を含み得る。スロット＃ｉ４１２など、スロットのぞれぞれはチップ２５６０個の長さを有し得る。それぞれのスロットは１つの電力制御期間に対応し得る。一実施形態では、スロット＃ｉ４１２など、それぞれのスロットは、その中でＮＯＦＦ１ビットが送信され得る第１のＴｘオフ４０２区分を含む。スロット＃ｉ４１２は、その中でＮＴＰＣビットがモバイルに送信されるＴＰＣ区分４０４も含み得る。加えて、スロット＃ｉ４１２は、その中でＮＯＦＦ２ビットが送信され得るＴｘオフ区分４０６も含み得る。第１のＴｘオフ区分４０２、ＴＰＣ区分４０４、および第２のＴｘオフ区分４０６の中で送られるビットの数は変化することが可能であり、これにより、スロット＃ｉ４１２のスロットフォーマットを変える。一実施形態では、スロットフォーマットのセットはオフセットに対して画定される。ネットワークは、それぞれの基地局のＦ−ＤＰＣＨに対するスロットフォーマットを選択することが可能である。一実施形態では、それぞれの基地局のＦ−ＤＰＣＨに対するスロットフォーマットを選択することは、Ｆ−ＤＰＣＨを受信するモバイルのフレームタイミングを修正することなしに、ネットワークがすべての利用可能なＦ−ＤＰＣＨオフセットを利用することを可能にする。
【００４９】
図５は、図４において既に述べられたオフ期間４０２、４０６およびＴＰＣフィールド４０４のビットの数を例示するスロットフォーマット表(slot format chart)５００である。表５００は複数のスロットフォーマット５０２を含む。それぞれのスロットフォーマットに関して、対応するチャネルビットレート(channel bit rate)５０４、チャネル記号レート(channel symbol rate)５０６、ＳＦ５０８、ビット／スロット５１０、ＮＯＦＦ１ビット／スロット５１２、ＮＴＰＣビット／スロット５１４、およびＮＯＦＦ２ビット／スロット５１６も例示される。それぞれのスロットフォーマット５０２は、Ｆ−ＤＰＣＨスロット内のオフ期間の異なるセットに対応し得る。例えば、スロットフォーマット＃３は、３のチャネルビットレート５０４と、１．５のチャネル記号レート５０６とを含み得る。加えて、スロットフォーマット＃３は、２５６のＳＦ５０８ならびに２０ビットを含む。スロットフォーマット＃３の場合、８ＮＯＦＦ１ビットは第１のＴｘオフ区分４０２内に、２ＮＴＰＣビットはＴＰＣ区分４０４内に、１０ＮＯＦＦ２ビットは第２のＴｘオフ区分４０６内に存在し得る。例示されるように、９個の異なるスロットフォーマット５０２がＦ−ＤＰＣＨに対して選択され得る。９個の異なるスロットフォーマット５０２のそれぞれは、モバイルに送信されるＴＰＣビットに対する異なるタイミングオフセットを含む。修正されたスロットフォーマットを有するＦ−ＤＰＣＨは、無線フレームタイムラインを変更しない。一実施形態では、モバイルによるＴＰＣビット処理タイムラインは、スロットフォーマット５０２が実施された場合、所与のＦ−ＤＰＣＨに対して変更され得る。しかし、ＴＰＣ送受反転時間は修正され得ない。
【００５０】
図６は、開示された装置の一実施形態による基地局６０８のブロック図である。基地局６０８は、基地局コントローラ、基地局トランシーバなどであり得る。基地局６０８は、送信機６１０と受信機６１２とを含むトランシーバ６２０を含む。トランシーバ６２０は、アンテナ６１８に結合され得る。基地局６０８は、デジタル信号プロセッサ（ＤＳＰ）６１４と、汎用プロセッサ６０２と、メモリ６０４と、通信インターフェース６０６とをさらに含む。基地局６０８の様々なコンポーネントはハウジング６２２内に含まれてよい。
【００５１】
プロセッサ６０２は基地局６０８の動作を制御することが可能である。プロセッサ６０２はＣＰＵと呼ばれる場合もある。読出し専用メモリ（ＲＯＭ）およびランダムアクセスメモリ（ＲＡＭ）の両方を含み得るメモリ６０４は、命令およびデータをプロセッサ６０２に提供する。メモリ６０４の一部は、不揮発性ランダムアクセスメモリ（ＮＶＲＡＭ）も含み得る。
【００５２】
図７は、通信装置７０８内で利用され得る様々なコンポーネントを例示する。通信装置７０８は、モバイル、ユーザ装置、携帯情報端末（ＰＤＡ）などを含み得る。通信装置７０８は、装置７０８の動作を制御するプロセッサ７０２を含み得る。プロセッサ７０２はＣＰＵと呼ばれる場合もある。読出し専用メモリ（ＲＯＭ）およびランダムアクセスメモリ（ＲＡＭ）の両方を含み得るメモリ７０４は、命令およびデータをプロセッサ７０２に提供する。メモリ７０４の一部は、不揮発性ランダムアクセスメモリ（ＮＶＲＡＭ）も含み得る。
【００５３】
通信装置７０８は、通信装置７０８と遠隔位置の間のデータの送受信を可能にするために、送信機７１０と受信機７１２とを含みことができるハウジング(housing）722を含んでも良い。送信機７１０および受信機７１２は組み合わされてトランシーバ７２０になる。アンテナ７１８はハウジング７２２に接続され、トランシーバ７２０に電気的に結合され得る。
【００５４】
通信装置７０８は、トランシーバ７２０によって受信された信号のレベルを検出および定量化するために使用され得る信号検出器７０６も含み得る。信号検出器７０６は、全エネルギー(total energy)、擬似雑音（ＰＮ）当たりのパイロットエネルギーチップ(pilot energy per pseudonoise (PN) chips)、電力スペクトル密度(power spectral density)、およびその他の信号)のような信号を検出することが可能である。
【００５５】
通信装置７０８の状態変更装置(state changer)７１４は、現在の状態と、トランシーバ７２０によって受信され、かつ信号検出器７０６によって検出された追加の信号とに基づいて、通信装置７０８の状態を制御することが可能である。装置７０８は、いくつかの状態のうちの任意の１つにおいて動作可能であり得る。通信装置７０８は、装置７０８を制御して、現在のサービスプロバイダシステムが不十分であると決定した場合、装置７０８がどのサービスプロバイダシステムに転送すべきかを決定するために使用され得るシステム決定装置(system determinator)７２４も含み得る。
【００５６】
通信装置７０８の様々なコンポーネントは、データバスに加えて、電力バス、制御信号バス、および状態信号バスを含み得るバスシステム７２６によって一緒に結合され得る。しかし、分かりやすくするために、様々なバスは、図７においてバスシステム７２６として例示される。通信装置７０８は、信号を処理する際に使用するためのデジタル信号プロセッサ（ＤＳＰ）７１６も含み得る。
【００５７】
情報および信号は、様々な異なる技術および技法のうちのいずれかを使用して表されることが可能である。例えば、上記の説明を通して参照され得るデータ、命令、コマンド、情報、信号、ビット、記号、およびチップは、電圧、電流、電磁波、磁場または磁粒子、光場または光粒子、またはそれらの任意の組合せによって表されることが可能である。
【００５８】
ここで開示される実施形態に関して説明される様々な例示的な論理ブロック、モジュール、回路、およびアルゴリズムステップは、電子ハードウェア、コンピュータソフトウェアまたはそれら両方の組合せとしてインプリメントされ得る。ハードウェアおよびソフトウェアのこの互換性を明瞭に例示するために、様々な例示的なコンポーネント、ブロック、モジュール、回路、およびステップが、一般に、それらの機能性の点から、上記に説明されている。そのような機能、がハードウェアとしてインプリメントされるのかまたはソフトウェアとしてインプリメントされるのかは、特定のアプリケーションおよびシステム全体に課せられた設計制約に依存する。熟練者は、説明された機能性をそれぞれの特定のアプリケーションについて様々な方法でインプリメントすることができるが、そのようなインプリメンテーション決定は、本発明の範囲からの逸脱を生じさせるものとして解釈されるべきではない。
【００５９】
ここで開示される実施形態に関して説明される様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブルロジックデバイス、ディスクリートゲートまたはトランジスタロジック、ディスクリートハードウェアコンポーネント、あるいはここで説明される機能を実行するように設計されたそれらの任意の組合せを用いてインプリメントされ、あるいは実行されることができる。汎用プロセッサはマイクロプロセッサであってよいが、別の方法では、プロセッサは任意の従来のプロセッサ、コントローラ、マイクロコントローラ、または状態機械であってもよい。プロセッサはまた、コンピューティングデバイスの組合せ、例えば、ＤＳＰおよびマイクロプロセッサの組合せ、複数のマイクロプロセッサ、ＤＳＰコアと共に１つもしくは複数のマイクロプロセッサ、または任意の他のそのようなコンフィグレーション(configuration)、としてインプリメントされることもできる。
【００６０】
ここで開示される実施形態に関して説明される方法またはアルゴリズムのステップは、ハードウェアで直接的に、プロセッサによって実行されるソフトウェアモジュールで、またはそれら２つの組合せの形で具現化されることが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、着脱可能ディスク、ＣＤ−ＲＯＭ、または当技術分野において知られている任意の他の形態の記憶媒体の中に常駐することができる。例示的な記憶媒体は、プロセッサが記憶媒体から情報を読み取り、記憶媒体に情報を書き込むことが可能であるようにプロセッサに結合される。別の方法では、記憶媒体は、プロセッサと一体であってもよい。プロセッサおよび記憶媒体は、ＡＳＩＣ内に常駐することができる。ＡＳＩＣはユーザ端末内に常駐することができる。別の方法では、プロセッサおよび記憶媒体は、ユーザ端末内のディスクリートコンポーネントとして常駐してもよい。
【００６１】
ここで開示された方法は、説明された方法を達成するための１つもしくは複数のステップまたは動作を備える。方法ステップおよび／または方法動作は、本発明の範囲から逸脱することなく、互いに置き換えられることができる。すなわち、ステップまたは動作の特定の順序が、実施形態の適切な動作のために要求されない限り、特定のステップおよび／または動作、の順序および／または使用は、本発明の範囲から逸脱することなく修正されることができる。
【００６２】
１つまたは複数の例示的な実施形態においては、説明された機能は、ハードウェア、ソフトウェア、ファームウェア、またはそれらの任意の組合せでインプリメントされることができる。ソフトウェアでインプリメントされる場合は、機能は、コンピュータ可読媒体上に１つもしくは複数の命令またはコードとして記憶され、あるいは、コンピュータ可読媒体上で１つもしくは複数の命令またはコードとして送信されることが可能である。コンピュータ可読媒体は、コンピュータ記憶媒体と、１つの場所から別の場所へのコンピュータプログラムの転送を容易にする任意の媒体を含む通信媒体と、の両方を含む。記憶媒体は、コンピュータによってアクセスされ得る任意の利用可能な媒体であり得る。例として、しかし限定ではないが、そのようなコンピュータ可読媒体は、ＲＡＭ、ＲＯＭ、ＥＥＰＲＯＭ、ＣＤ−ＲＯＭ、または他の光ディスク記憶装置、磁気ディスク記憶装置もしくはその他の磁気記憶装置、あるいは、所望されるプログラムコードを命令またはデータ構造の形式で運ぶために、または、記憶するために、使用されることができ、また、コンピュータによってアクセスされることができる、任意の他の媒体を備え得る。また、どんな接続も、適切に、コンピュータ可読媒体と呼ばれる。例えば、ソフトウェアが、同軸ケーブル、光ファイバケーブル、ツイストペア、デジタル加入者線（ＤＳＬ）、または、無線技術、例えば赤外線、無線、およびマイクロ波など、を使用して、ウェブサイト、サーバ、またはその他の遠隔ソースから送信される場合は、そのときは、同軸ケーブル、光ファイバケーブル、ツイストペア、ＤＳＬ、または、無線技術、例えば赤外線、無線、およびマイクロ波など、は媒体の定義の中に含まれる。ここで使用されるような、ディスクおよびディスク(Disk and disc)は、コンパクトディスク（ＣＤ）、レーザディスク、光ディスク、デジタル多目的ディスク（ＤＶＤ）、フロッピー（登録商標）ディスク、およびｂｌｕｒａｙディスクを含んでいる、なお、ディスク(disk)は、通常、磁気によってデータを複製し、一方、ディスク(disc)は、レーザを用いて光学的にデータを複製する。上記の組合せもまた、コンピュータ可読媒体の範囲内に含まれるべきである。
【００６３】
本発明の具体的な実施形態および適用分野が例示および説明されたが、本発明はここで開示されたとおりの構成およびコンポーネントに限定されないということを、理解すべきである。当業者に明らかでああろう様々な修正形態、変更形態、および改変形態が、本発明の精神および範囲から逸脱せずに、ここで開示された本発明の方法およびシステムの構成、動作、および詳細において行われることが可能である。
【図１】
2010502125.tif 000003
【図２】
2010502125.tif 000004
【図３】
2010502125.tif 000005
【図３Ａ】
2010502125.tif 000006
【図４】
2010502125.tif 000007
【図５】
2010502125.tif 000008
【図６】
2010502125.tif 000009
【図７】
2010502125.tif 000010
【国際調査報告】
2010502125.tif 000011
2010502125.tif 000012